(57)【要約】      （修正有）【課題】受信者の都合によって発信者からの通話、メールの受信を制御する技術を提供する。【解決手段】着側端末がローミングアウトして国外ネットワークに接続されている間に発側端末が着側端末に通信を送信し、呼制御装置が発側端末から着側端末への通信についての通知を受けると、加入者プロファイル保持装置は加入者プロファイルデータベースを参照して発側端末の時刻情報と着信可能時刻情報と処理情報とを取り出し、時刻情報と着信可能時刻情報とに基づき、処理情報が指定する処理をするよう呼制御装置に指示を送信する。呼制御装置は加入者プロファイル保持装置からの指示に従って、処理情報によって指定される処理としてガイダンスを送出し、その後、発側端末から着側端末への通信が着側端末に転送されなかった場合、呼制御装置は着信可能時刻に発側端末からの通信について着側端末に着信通知を行う。【選択図】図２
2008301198.tif 000002
【特許請求の範囲】
【請求項１】
第１端末及び第２端末を接続可能である第１ネットワークに備えられた加入者プロファイル保持装置であって、
端末の現在所在地における時刻を示す時刻情報と、通信を着信できる時間帯を示す着信可能時刻情報と、前記着信可能時刻外の時刻に着信があった際の処理を示す処理情報とを各端末に関連させて有する加入者プロファイルデータベースと、
前記第１ネットワークに備えられた呼制御装置との間で信号を送受信し、前記第２端末との間で信号を送受信する送受信手段と、
前記第１端末が前記第２端末に通信を送信し、前記第１端末から前記第２端末への通信についての通知を前記送受信手段が前記呼制御装置から受けると、前記加入者プロファイルデータベースを参照して前記第２端末の前記時刻情報と前記着信可能時刻情報と前記処理情報とを取り出す制御手段であって、前記時刻情報が前記着信可能時刻情報によって示される時刻外である場合は前記処理情報が指定する処理をするよう前記呼制御装置に指示を送信する制御手段と、
を備え、
前記呼制御装置が前記処理情報によって指定される処理をした後、前記加入者プロファイル保持装置が前記第１端末から前記第２端末への通信を前記第２端末に転送しなかった場合、前記送受信手段は前記着信可能時刻に前記第１端末からの通信について前記第２端末に着信通知を行うことを特徴とする加入者プロファイル保持装置。
【請求項２】
前記第２端末はローミングアウトして第２ネットワークを介して前記第１ネットワークに接続可能であり、
前記制御手段は、前記第２端末の前記時刻情報が、前記第１端末と前記第２端末との間の時差及び前記着信可能時刻外の時刻を示している場合に、前記処理情報が指定する処理をするよう前記呼制御装置に対して指示を送信することを特徴とする請求項１に記載の加入者プロファイル保持装置。
【請求項３】
前記制御手段は、前記第２ネットワークからの信号を基に、前記第１端末と前記第２端末との間の時差を計算することを特徴とする請求項２に記載の加入者プロファイル保持装置。
【請求項４】
前記処理情報が指定する処理は、前記着信可能時刻情報を伝えるガイダンスの送信と、前記第１端末から第２端末への通信の転送を続けるか否かの選択の提示または転送拒否とであることを特徴とする請求項１乃至３のいずれかに記載の加入者プロファイル保持装置。
【請求項５】
第１端末及び第２端末が接続可能である第１ネットワークに備えられた呼制御装置であって、
前記第１端末が前記第２端末に送信する通信を受信しその内容を判定する操作判定手段と、
前記第１端末からの通信を、前記第１ネットワークが備える加入者プロファイル保持装置に転送する通信送出手段と、
前記加入者プロファイル保持装置からの前記第２端末の着信可能時刻情報と前記第１端末への処理指示とに基づき、前記着信可能時刻情報を伝えるガイダンスの前記第１端末への送出と、前記第１端末から第２端末への通信の転送を続けるか否かの選択の提示または転送拒否とをするガイダンス送出手段と、
を備え、
前記ガイダンス送出の後、前記第１端末からの通信が前記第２端末に転送されない場合、前記ガイダンス送出手段は、前記第２端末に着信通知を送信するよう、前記加入者プロファイル保持装置に指示を送信することを特徴とする呼制御装置。
【請求項６】
前記ガイダンス送出手段は、前記加入者プロファイル保持装置からの、前記第１端末と前記第２端末との間の時差情報にさらに基づき、前記ガイダンスを送出することを特徴とする請求項５に記載の呼制御装置。
【請求項７】
第１端末と、
第２端末と、
第１端末及び第２端末を接続可能であり、加入者プロファイル保持装置及び呼制御装置を有する第１ネットワークと、
を備える通信システムであって、
前記第１ネットワークに備えられた前記加入者プロファイル保持装置は、
端末の現在所在地における時刻を示す時刻情報と、通信を着信できる時間帯を示す着信可能時刻情報と、前記着信可能時刻外に着信があった際の処理を示す処理情報とを各端末に関連させて有する加入者プロファイルデータベースと、
前記第１ネットワークが備えた前記呼制御装置との間で信号を送受信し、前記第２端末との間で通信を送受信する送受信手段と、
前記第１端末が前記第２端末に通信を送信し、前記第１端末から前記第２端末への通信についての通知を前記送受信手段が前記呼制御装置から受けると、前記加入者プロファイルデータベースを参照して前記第２端末の前記時刻情報と前記着信可能時刻情報と前記処理情報とを取り出す制御手段であって、前記時刻情報と前記着信可能時刻情報とに基づき、前記処理情報が指定する処理をするよう前記呼制御装置に対して指示を送信する制御手段とを有し、
前記第１ネットワークに備えられた前記呼制御装置は、
前記第１端末が前記第２端末に送信する通信を受信しその内容を判定する操作判定手段と、
前記第１端末からの通信を、前記第１ネットワークが備える前記加入者プロファイル保持装置に転送する通信送出手段と、
前記加入者プロファイル保持装置からの前記第２端末の着信可能時刻情報の通知と前記第１端末への処理の指示とに基づき、前記着信可能時刻情報を伝えるガイダンスの前記第１端末への送出と、前記第１端末から第２端末への通信の転送を続けるか否かの選択の提示または転送拒否とをするガイダンス送出手段と、
を有し、
前記ガイダンス送出の後、前記第１端末からの通信が前記第２端末に転送されない場合、前記ガイダンス送出手段は、前記第２端末に着信通知を送信するよう、前記加入者プロファイル保持装置に指示を送信し、
前記呼制御装置の前記ガイダンス送出手段からの前記着信通信送信の指示により、前記加入者プロファイル保持装置の前記送受信手段は、前記着信可能時刻に前記第１端末からの通信について前記第２端末に着信通知を行うことを特徴とする通信システム。
【請求項８】
前記第２端末はローミングアウトして第２ネットワークを介して前記第１ネットワークに接続可能であり、
前記加入者プロファイル保持装置の前記制御手段は、前記第２端末の前記時刻情報が、前記第１端末と前記第２端末との間の時差及び前記着信可能時刻外の時刻を示している場合に、前記処理情報が指定する処理をするよう前記呼制御装置に対して指示をすることを特徴とする請求項７に記載の通信システム。
【請求項９】
前記加入者プロファイル保持装置の前記制御手段は、前記第２ネットワークからの信号を基に、前記第１端末と前記第２端末との間の時差を計算することを特徴とする請求項８に記載の通信システム。
【請求項１０】
第１端末及び第２端末を接続可能であり、加入者プロファイル保持装置及び呼制御装置を有する第１ネットワークを含むシステムにおける着信制御方法であって、
前記第１ネットワークに備えられた前記加入者プロファイル保持装置は、
端末の現在所在地における時刻を示す時刻情報と、通信を着信できる時間帯を示す着信可能時刻情報と、前記着信可能時刻情報の時刻外に着信があった際の処理を示す処理情報とを各端末に関連させて有する加入者プロファイルデータベースと、
前記第１ネットワークが備えた前記呼制御装置との間で信号を送受信し、前記第２端末との間で通信を送受信する送受信手段と、
を有し、
前記第１端末から前記第２端末への通信についての通知を前記送受信手段が前記呼制御装置から受けると、前記加入者プロファイルデータベースを参照して前記第２端末の時刻情報と着信可能時刻情報と処理情報とを取り出し、前記時刻情報と着信可能時刻情報とに基づき、前記処理情報が指定する処理をするよう前記呼制御装置に対して指示を送信し、
前記第１ネットワークに備えられた前記呼制御装置は、
前記第１端末が前記第２端末に送信する通信を受信しその内容を判定し、
前記第１端末からの通信を、前記第１ネットワークが備える前記加入者プロファイル保持装置に転送し、
前記加入者プロファイル保持装置からの前記第２端末の着信可能時刻情報と前記第１端末への処理の指示とに基づき、前記着信可能時刻情報を伝えるガイダンスの前記第１端末への送出と、前記第１端末から第２端末への通信の転送を続けるか否かの選択の提示または転送拒否とをし、
前記ガイダンス送出の後、前記第１端末からの通信が前記第２端末に転送されない場合、前記第２端末に着信通知を送信するよう、前記加入者プロファイル保持装置に指示を送信し、
前記呼制御装置からの前記着信通信送信の指示により、前記加入者プロファイル保持装置は、前記着信可能時刻に前記第１端末からの通信について前記第２端末に着信通知を行うことを特徴とする着信制御方法。
【発明の詳細な説明】
【技術分野】
【０００１】
本発明は、端末ユーザによる着信制御方法及びそれを行うシステム、装置に関し、より詳細には、予め設定された着信可能時間設定に基づく着信制御方法及びそれを行うシステム、装置に関する。
【背景技術】
【０００２】
従来、電話やメールといった通信サービスの利用に際しては、利用者は固定電話端末や、コンピュータ端末の前に物理的にいることが必要であった。しかし携帯通信端末が普及するにつれて、利用者はどこにいても電話、メールを送受信することができるようになった。さらに最近では、携帯電話の海外ローミングアウト機能の普及により、利用者は相手がどこにいるかを問わずシームレスに通信ができるようになり、利便性がより一層増している。
【０００３】
携帯通信端末利用者の移動性が増す結果、発信端末と受信端末とが異なる時間帯内にいるケースが生じている。このように受信者が例えば国外などに旅行中であっても、発信者は、受信者が国内にいるときと同じように通信を行うことができる。
【０００４】
受信者が国外にいる際に着信呼があった場合、受信者がいる地域の現地時刻を発信者に通知する構成が、特許文献１に開示されている。
【０００５】
特許文献２は、着信転送サービスや着信規制サービスなどの、設定時刻に応じて機能する付加サービスを被呼者の現地時刻に対応して提供する構成を開示している。
【０００６】
【特許文献１】特開2005-124015公報（要約参照）
【特許文献２】特開2000-138969公報（段落［０００２］、［０００３］、［０００９］参照）
【発明の開示】
【発明が解決しようとする課題】
【０００７】
しかし一方、発信者は、受信者の現地時間で現在何時であるかに関わりなく電話やメールを送信するため、受信者の就寝を妨げるなどの結果を起こしてしまうという問題が生じている。また、時差がなくても、受信者が会議中、就寝中であるなど、メールや通話の受信が望ましくない状況においても受信がされてしまうという問題も生じている。そこで、受信者のローミング時に生じる時差や受信者の都合を勘案し得るよう、発信者からの通話、メールの受信を制御する技術が必要とされている。
【課題を解決するための手段】
【０００８】
このような目的を達成するために、請求項１に記載の発明は、第１端末及び第２端末を接続可能である第１ネットワークに備えられた加入者プロファイル保持装置であって、端末の現在所在地における時刻を示す時刻情報と、通信を着信できる時間帯を示す着信可能時刻情報と、着信可能時刻外の時刻に着信があった際の処理を示す処理情報とを各端末に関連させて有する加入者プロファイルデータベースと、第１ネットワークに備えられた呼制御装置との間で信号を送受信し、第２端末との間で信号を送受信する送受信手段と、第１端末が第２端末に通信を送信し、第１端末から第２端末への通信についての通知を送受信手段が呼制御装置から受けると、加入者プロファイルデータベースを参照して第２端末の時刻情報と着信可能時刻情報と処理情報とを取り出す制御手段であって、時刻情報が着信可能時刻情報によって示される時刻外である場合は処理情報が指定する処理をするよう呼制御装置に指示を送信する制御手段とを備え、記呼制御装置が処理情報によって指定される処理をした後、加入者プロファイル保持装置が第１端末から第２端末への通信を第２端末に転送しなかった場合、送受信手段は着信可能時刻に第１端末からの通信について第２端末に着信通知を行うことを特徴とする。
【０００９】
これにより、受信ユーザが事前に受信制御の必要な時間を設定しておくことにより、発信者にガイダンスを送って注意を促すことができ、さらに発信を受けられなかった受信者には、受信通知を送ることができる。
【００１０】
請求項２に記載の発明は、請求項１に記載の加入者プロファイル保持装置であって、第２端末はローミングアウトして第２ネットワークを介して第１ネットワークに接続可能であり、制御手段は、第２端末の時刻情報が、第１端末と第２端末との間の時差及び着信可能時刻外の時刻を示している場合に、処理情報が指定する処理をするよう呼制御装置に対して指示を送信することを特徴とする。
【００１１】
このように、海外ローミングアウトユーザが事前に就寝時間等の応答不可能な時間を設定し、さらに時差情報をネットワークで把握しておくことにより、海外ローミングアウトユーザ宛の発信に関して、発信者にガイダンスを送って注意を促すことができ、さらに発信を受けられなかった受信者には、受信通知を送ることができる。
【００１２】
請求項３に記載の発明は、請求項２に記載の加入者プロファイル保持装置であって、制御手段は、第２ネットワークからの信号を基に、第１端末と第２端末との間の時差を計算することを特徴とする。
【００１３】
これにより、加入者プロファイル保持装置は、自動的に時差を計算することができる。
【００１４】
請求項４に記載の発明は、請求項１乃至３のいずれかに記載の加入者プロファイル保持装置であって、処理情報が指定する処理は、着信可能時刻情報を伝えるガイダンスの送信と、第１端末から第２端末への通信の転送を続けるか否かの選択の提示または転送拒否とであることを特徴とする。
【００１５】
これにより、着信制御処理として、ガイダンス送信と、転送拒否または転送選択の提示が行われるようになる。
【００１６】
請求項５に記載の発明は、第１端末及び第２端末が接続可能である第１ネットワークに備えられた呼制御装置であって、第１端末が第２端末に送信する通信を受信しその内容を判定する操作判定手段と、第１端末からの通信を、第１ネットワークが備える加入者プロファイル保持装置に転送する通信送出手段と、加入者プロファイル保持装置からの第２端末の着信可能時刻情報と第１端末への処理指示とに基づき、着信可能時刻情報を伝えるガイダンスの第１端末への送出と、第１端末から第２端末への通信の転送を続けるか否かの選択の提示または転送拒否とをするガイダンス送出手段とを備え、ガイダンス送出の後、第１端末からの通信が第２端末に転送されない場合、ガイダンス送出手段は、第２端末に着信通知を送信するよう、加入者プロファイル保持装置に指示を送信することを特徴とする。
【００１７】
これにより、受信ユーザが事前に受信制御の必要な時間を設定しておくことにより、発信者にガイダンスを送って注意を促すことができ、さらに発信を受けられなかった受信者には、受信通知を送ることができる。
【００１８】
請求項６に記載の発明は、請求項５に記載の呼制御装置であって、ガイダンス送出手段は、加入者プロファイル保持装置からの、第１端末と第２端末との間の時差情報にさらに基づき、ガイダンスを送出することを特徴とする。
【００１９】
このように、海外ローミングアウトユーザが事前に就寝時間等の応答不可能な時間を設定し、さらに時差情報をネットワークで把握しておくことにより、海外ローミングアウトユーザ宛の発信に関して、発信者にガイダンスを送って注意を促すことができ、さらに発信を受けられなかった受信者には、受信通知を送ることができる。
【００２０】
請求項７に記載の発明は、第１端末と、第２端末と、第１端末及び第２端末を接続可能であり、加入者プロファイル保持装置及び呼制御装置を有する第１ネットワークとを備える通信システムであって、第１ネットワークに備えられた加入者プロファイル保持装置は、端末の現在所在地における時刻を示す時刻情報と、通信を着信できる時間帯を示す着信可能時刻情報と、着信可能時刻外に着信があった際の処理を示す処理情報とを各端末に関連させて有する加入者プロファイルデータベースと、第１ネットワークが備えた呼制御装置との間で信号を送受信し、第２端末との間で通信を送受信する送受信手段と、第１端末が第２端末に通信を送信し、第１端末から第２端末への通信についての通知を送受信手段が呼制御装置から受けると、加入者プロファイルデータベースを参照して第２端末の時刻情報と着信可能時刻情報と処理情報とを取り出す制御手段であって、時刻情報と着信可能時刻情報とに基づき、処理情報が指定する処理をするよう呼制御装置に対して指示を送信する制御手段とを有し、第１ネットワークに備えられた呼制御装置は、第１端末が第２端末に送信する通信を受信しその内容を判定する操作判定手段と、第１端末からの通信を、第１ネットワークが備える加入者プロファイル保持装置に転送する通信送出手段と、加入者プロファイル保持装置からの第２端末の着信可能時刻情報の通知と第１端末への処理の指示とに基づき、着信可能時刻情報を伝えるガイダンスの第１端末への送出と、第１端末から第２端末への通信の転送を続けるか否かの選択の提示または転送拒否とをするガイダンス送出手段とを有し、ガイダンス送出の後、第１端末からの通信が第２端末に転送されない場合、ガイダンス送出手段は、第２端末に着信通知を送信するよう、加入者プロファイル保持装置に指示を送信し、呼制御装置のガイダンス送出手段からの着信通信送信の指示により、加入者プロファイル保持装置の送受信手段は、着信可能時刻に第１端末からの通信について第２端末に着信通知を行うことを特徴とする。
【００２１】
これにより、受信ユーザが事前に受信制御の必要な時間を設定しておくことにより、発信者にガイダンスを送って注意を促すことができ、さらに発信を受けられなかった受信者には、受信通知を送ることができる。また、着信制御処理が特定の状況において自動的に行われるようになり、さらに着信制御処理として、ガイダンス送信と、転送拒否または転送選択の提示が行われるようになる。
【００２２】
請求項８に記載の発明は、請求項７に記載の通信システムであって、第２端末はローミングアウトして第２ネットワークを介して第１ネットワークに接続可能であり、加入者プロファイル保持装置の制御手段は、第２端末の時刻情報が、第１端末と第２端末との間の時差及び着信可能時刻外の時刻を示している場合に、処理情報が指定する処理をするよう呼制御装置に対して指示をすることを特徴とする。
【００２３】
このように、海外ローミングアウトユーザが事前に就寝時間等の応答不可能な時間を設定し、さらに時差情報をネットワークで把握しておくことにより、海外ローミングアウトユーザ宛の発信に関して、発信者にガイダンスを送って注意を促すことができ、さらに発信を受けられなかった受信者には、受信通知を送ることができる。
【００２４】
請求項９に記載の発明は、請求項８に記載の通信システムであって、加入者プロファイル保持装置の制御手段は、第２ネットワークからの信号を基に、第１端末と第２端末との間の時差を計算することを特徴とする。
【００２５】
これにより、加入者プロファイル保持装置は、自動的に時差を計算することができる。
【００２６】
請求項１０に記載の発明は、第１端末及び第２端末を接続可能であり、加入者プロファイル保持装置及び呼制御装置を有する第１ネットワークを含むシステムにおける着信制御方法であって、第１ネットワークに備えられた加入者プロファイル保持装置は、端末の現在所在地における時刻を示す時刻情報と、通信を着信できる時間帯を示す着信可能時刻情報と、着信可能時刻情報の時刻外に着信があった際の処理を示す処理情報とを各端末に関連させて有する加入者プロファイルデータベースと、第１ネットワークが備えた呼制御装置との間で信号を送受信し、第２端末との間で通信を送受信する送受信手段とを有し、第１端末から第２端末への通信についての通知を送受信手段が呼制御装置から受けると、加入者プロファイルデータベースを参照して第２端末の時刻情報と着信可能時刻情報と処理情報とを取り出し、時刻情報と着信可能時刻情報とに基づき、処理情報が指定する処理をするよう呼制御装置に対して指示を送信し、第１ネットワークに備えられた呼制御装置は、第１端末が第２端末に送信する通信を受信しその内容を判定し、第１端末からの通信を、第１ネットワークが備える加入者プロファイル保持装置に転送し、加入者プロファイル保持装置からの第２端末の着信可能時刻情報と第１端末への処理の指示とに基づき、着信可能時刻情報を伝えるガイダンスの第１端末への送出と、第１端末から第２端末への通信の転送を続けるか否かの選択の提示または転送拒否とをし、ガイダンス送出の後、第１端末からの通信が第２端末に転送されない場合、第２端末に着信通知を送信するよう、加入者プロファイル保持装置に指示を送信し、呼制御装置からの着信通信送信の指示により、加入者プロファイル保持装置は、着信可能時刻に第１端末からの通信について第２端末に着信通知を行うことを特徴とする。
【００２７】
これにより、受信ユーザが事前に受信制御の必要な時間を設定しておくことにより、発信者にガイダンスを送って注意を促すことができ、さらに発信を受けられなかった受信者には、受信通知を送ることができる。また、着信制御処理が特定の状況において自動的に行われるようになり、さらに着信制御処理として、ガイダンス送信と、転送拒否または転送選択の提示が行われるようになる。
【発明の効果】
【００２８】
以上説明したように、本発明によれば、発信者に事前に受信者の着信可能時間を知らせることができるので、時差や受信者の都合により受信が望ましくない時間に送信してしまう問題を回避することが可能となり、円滑なコミュニケーションが可能となる。
【発明を実施するための最良の形態】
【００２９】
以下、図面を参照しながら本発明の実施形態について詳細に説明する。
【００３０】
図１では、通信端末の一例として携帯電話３００、４００を例示している。携帯電話３００は日本国内の移動通信ネットワーク（ホームネットワーク、第１ネットワークの一例）１００に接続されている。携帯電話４００は、ローミングアウトしており、国外の移動通信ネットワーク２００に接続されている。なお、携帯電話４００は図１では国外移動通信ネットワーク（第２ネットワークの一例）２００に接続されているが、携帯電話４００のユーザが日本に戻ってくれば、携帯電話４００は国内移動通信ネットワーク１００に接続され、国内移動通信ネットワーク１００が携帯電話４００のホームネットワークとなる。
【００３１】
国内移動通信ネットワーク１００は、呼制御装置１と加入者プロファイル保持装置２とを備えている。呼制御装置１は、ガイダンス送出装置１０と、メッセージ送出装置１１と、発側操作判定装置１２とを備えている。発側操作判定装置１２は、ユーザによる発側の携帯電話（以後、発側端末）３００の操作を受信し、その内容を判定し、操作に応じた設定、動作を行う。例えば、着側の携帯電話（以後、着側端末）４００がローミングアウトして国外ネットワーク２００に接続されている間に発側端末３００が着側端末４００にする発呼などの通信を受信し、その内容を判定する。送出装置１１は、発側端末３００からの発呼を加入者プロファイル保持装置２に転送する。ガイダンス送出装置１０は、後述の加入者プロファイルデータベース２０に格納された情報に基づき、発側端末３００に対してガイダンス通知、受信制御の選択提示などの処理を指示する。また、ガイダンス送出の後、発側端末３００からのメッセージが着側端末４００に転送されなかった場合、呼制御装置１のメッセージ送出装置１１は、着側端末４００に着信通知を送るよう、加入者プロファイル保持装置２に指示する。これらの装置は、例えばマイクロプロセッサとして構成することができるが、その他の公知の部品により構成されてもよい。
【００３２】
また、本実施例では発側端末３００、着側端末４００は携帯電話であるが、その他の移動通信端末を用いることもできる。
【００３３】
加入者プロファイル保持装置２は、加入者プロファイルデータベース２０と、制御部２６と送受信部２７とを備えている。加入者プロファイルデータベース２０は、加入携帯電話の所在地における現在時刻情報２１と、発側携帯電話への通知設定情報（オンかオフか）２２と、ローミングアウトしている携帯電話の所在地とホームネットワークとの時差情報２３と、発側端末からのメッセージを着信できる時間帯を示す着信可能時刻情報２４と、着信可能時刻外にメッセージの着信があった場合に発側端末３００に対して行うべき処理情報２５とを備えている。処理情報２５の例としては、「着信可能時刻を通知して強制切断」、「着信制御時間であることを通知して、呼び出すかどうかの選択を提示」などがある。
【００３４】
図１では省略されているが、国外移動通信ネットワーク２００も国内移動通信ネットワーク１００と同様の構成をしており、同様の機能を備えている。しかし、発側端末３００、着側端末４００のホームネットワークは国内ネットワーク１００であるので、発側端末３００、着側端末４００の加入者プロファイル情報は、国内ネットワーク１００の加入者プロファイル保持装置２に格納されている。
【００３５】
着側端末４００が国内ネットワーク１００の接続領域を出て、国外ネットワーク２００に接続されると、着側端末４００に関して、加入者プロファイルデータベース２０の現在時刻情報２１が国外ネットワーク２００の所在地との関連で更新される。この際、着側端末４００が自動で時差調整をする機能を有していれば、着側端末４００は調整した時刻をホームネットワーク１００に自動的に送信し、着側端末４００に関する加入者プロファイルデータベース２０中の現在時刻データ２１、時差データ２３をアップデートする。着側端末４００が自動時差調整機能を具備していない場合は、ユーザが手動で時差を調整し、それをＳＭＳなどでホームネットワーク１００に送信することによって加入者プロファイルデータベース２０をアップデートする。これにより、着側端末４００のローミング中に発側端末３００から通話やメールなどがあった場合、発側端末３００に着側端末４００の所在地における現在時間を通知することができる。なお、この設定により、通信事業者は、着側端末４００のユーザが国外にいることを発側端末３００のユーザに通知する了承を得ることになる。
【００３６】
着側端末４００のユーザは、通話やメールを受信したくない着信制御時間（例えば就寝時間）を、予め設定しておくことができる。この設定時間は、加入者プロファイルデータベース２０に着信可能時刻情報２４として格納される。この着信可能時刻設定は、着側端末４００のユーザが行く先々の時間帯において機能するようにしてもよいし、時差情報２３を利用して、ホームネットワーク１００と着側端末４００の現在時刻２１との間に時差があるときのみ自動的に機能するように設定してもよい。この着信可能時刻情報２４で示される時刻以外の時刻が、着信制御時間となる。
【００３７】
さらに本実施例においては、着側端末４００は加入者プロファイルデータベース２０における着信制御時間の設定により、発側端末３００に対して所定の処理を施す機能を具備しており、着側端末４００のユーザは、上記着信制御時間に発側端末３００から発信があった場合に着側端末４００が発側端末３００に対して行う処理として、例えば以下のような機能を選択的に利用することができる。
１）  発側端末３００に着側端末４００の所在地における現在時刻および、発側端末３００の時刻で何時から何時までであれば着信可能であるかを伝えるガイダンス通知をし、接続を切断する。
２）  発側端末３００に着側端末４００の所在地における現在時刻を伝え、このまま着側端末４００を呼び出すかどうか、発側端末３００のユーザが選択できるようにする。
３）  着側端末４００が発側端末３００の発呼を受けなかった場合、着信可能時刻になると、着信があった旨を発側端末３００の電話番号を添えてSMSなどにより、ホームネットワーク１００から着側端末４００に自動的に通知するようにする。
【００３８】
着側端末４００のユーザが３）を選択し、発側端末３００が着側端末４００に発呼した場合の着信制御シーケンスの一例を図２に示す。
【００３９】
なお、３）の着信通知はＳＭＳに限られず、画像メッセージや音声メッセージによっても行うことができる。
【００４０】
まずステップＳ１において、発側端末３００がローミング中である着側端末４００に対して発呼する。発側端末３００の発呼は、呼制御装置１によって受信される。
【００４１】
ステップＳ２において、呼制御装置１は加入者プロファイル保持装置２に対し、着側端末４００に関する情報を要求する。
【００４２】
ステップＳ３において、加入者プロファイル保持装置２は着側端末４００にその所在地における現在時間を確認する信号を送信する。本実施例ではステップＳ４において、加入者プロファイル保持装置２が着側端末４００の接続している国外ネットワーク２００に属する基地局の交換機時刻を利用し、その交換機時刻を信号に含めることにより、着側端末４００の現在地における時刻情報を得る。国外ネットワーク２００の基地局が、このように交換機時刻を信号に含める機能を具備していない場合は、加入者プロファイル保持装置２は着側端末４００に現在時刻を問い合わせ、着側端末４００は時刻情報を信号に含めて加入者プロファイル保持装置２に通知する。これにより、加入プロファイルデータベース２０の時刻情報２１と時差情報２３とが更新される。
【００４３】
ステップＳ５において、加入者プロファイル保持装置２は発側端末３００と着側端末４００とが異なる時間帯にいるか、また、両端末間に時差がある場合は、時差通知機能の設定がオンになっているかを判定する。この判定は、加入プロファイルデータベース２０の時刻情報２１と通知設定情報２２とを確認することによって行われる。もし、着側端末４００と発側端末３００とが同じ時間帯にいる、または着側端末４００のユーザが時差通知機能の設定をオフにしているときは、ホームネットワーク１００及び国外ネットワーク２００は、従来の方法で発側端末３００からの発呼を着側端末４００に着信させる。
【００４４】
発側端末３００と着側端末４００とが異なる時間帯にあり、かつ着側端末４００のユーザが時差通知設定をオンにしている場合、加入者プロファイル保持装置２はステップＳ６において時差の計算を行う。計算の結果は、時差情報２３として加入プロファイルデータベース２０にアップデートされる。
【００４５】
ステップＳ７において、着側端末４００のユーザは、発側端末３００に時差通知をするか否かを決定する。ユーザが時差通知をしないという選択をした場合、加入者プロファイル保持装置２は、従来の方法で発側端末３００からの発呼を着側端末４００に受信させる。時差通知をするという選択がなされた場合は、加入者プロファイル保持装置２は、ステップＳ８以降の時差通知を行う。
【００４６】
ステップＳ８では、加入者プロファイル保持装置２は呼制御装置１に着側端末４００の情報を通知し、さらに発側端末３００へのガイダンス送出処理の指示をする。
【００４７】
ステップＳ９では、着側端末４００の受信可能時間が発側端末３００の時間で何時になるかを呼制御装置１が計算する。
【００４８】
ステップＳ１０では、受信可能時間を通知するガイダンスを送出した後に、発呼を続けるかどうかの選択を発側端末３００に提示するか、着側端末４００による受信を拒否するかを、着側端末４００の設定、具体的には加入プロファイルデータベース２０における処理内容データ２５の内容に基づいて決定する。
【００４９】
前者の場合、呼制御装置１はガイダンスを発側端末３００に送信する（ステップＳ１１）。ガイダンスには、着側端末４００のいる時間帯における現在時刻、着側端末４００の在る国・地域名といった情報が含まれていてよい。ガイダンスは、発側端末３００のユーザが契約している言語により表示・再生される。ガイダンスのメッセージ終了後、発側端末３００のユーザが所定時間（例えばステップＳ１２のタイマで計測される、数秒間）以内に発呼を終了しない場合、呼制御装置１及び加入者プロファイル保持装置２は、従来の方法で発側端末３００からの発呼を着側端末４００に受信させる。発側端末３００への通話料の課金は、ステップＳ１２のタイマが終了し発呼が着側端末４００に受信された時点から開始される。
【００５０】
加入者プロファイルデータベース２０の着側端末４００の設定が、受信制御時間中は通話の受信を一律拒否することになっていた場合、呼制御装置１は、ステップＳ１３においてガイダンスを発側端末３００に送信し、発側端末３００からの発呼はこれで終了させられる。その後、加入者プロファイル保持装置２は、発側端末３００からの発呼があったことを示す着信通知のメッセージを、着信可能時間が到達すると自動的に着側端末４００に送信する。
【００５１】
この実施例のステップＳ５では、発側端末３００と着側端末４００との間に時差がない場合は、着信制御を行っていないが、時差の有無に関らず、着側端末４００の時刻情報２１と着信可能時刻２４とを確認して、着信制御を行ってもよい。
【００５２】
またこの実施例では、加入者プロファイル保持装置２は国外ネットワーク２００の交換機時間を基に時差を計測しているが、着側端末４００が自動時差補正機能を具備する場合、図３に示す処理を行うことができる。
【００５３】
ステップＳ３１では、着側端末４００が国外ネットワーク２００の基地局時間などを用いて自動的に時差補正を行う。その際、着側端末４００は、ステップＳ３１で変更した時間差を保持しておく（ステップＳ３２）。
【００５４】
ステップＳ３３では、着側端末４００は加入者プロファイル保持装置２に、ステップＳ３２で保持しておいた時間差情報を送信し、加入者プロファイル保持装置２はその時間差情報送信に対して応答する（ステップＳ３４）。
【００５５】
ステップＳ３５では、加入者プロファイル保持装置２は送信された時差情報を加入プロファイルデータベース２０にアップロードする。
【００５６】
図４は、図３に示すような時差情報取得プロセスを、着側端末４００のＳＭＳ送信によって達成する構成を示している。図４の実施例においては、ホームネットワーク１００はさらにＳＭＳ制御装置３を備えている。着側端末４００は、図３のステップＳ３１，Ｓ３２と同様の方法で時間差情報を取得し、ステップＳ４３で時間差情報を含めたＳＭＳをＳＭＳ制御装置３に送信する。
【００５７】
その後、ＳＭＳ制御装置３は着側端末４００にＳＭＳ応答を送信し（ステップＳ４４）、さらに時差情報を加入者プロファイル保持装置２に送信する（ステップＳ４５）。加入者プロファイル保持装置２は、図３のステップＳ３４と同様に時差送信応答をし（ステップＳ４６）、加入プロファイルデータベース２０に送信された時差情報を登録する（ステップＳ４７）。
【００５８】
上記実施例は、発側端末３００がローミングアウトした着側端末４００に向けて通信を発したケースを例として詳述したが、ローミングアウトしたユーザが国外ネットワーク２００からホームネットワーク１００内の端末に向けて通信を発した場合でも、同様の処理をして着信端末の所在地における現地時間を通知させることができる。ただしこの場合、処理の設定は発側であるローミングアウトしたユーザによってなされるため、現地時間通知後に発呼をやめる選択の設定はなく、着側端末４００の所在地における現在時刻を発側端末３００に通知する設定となっている。
【産業上の利用可能性】
【００５９】
これにより、発信者に事前に受信者の着信可能時間を知らせることができるので、時差や受信者の都合により受信が望ましくない時間に送信してしまう問題を回避することが可能となり、円滑なコミュニケーションが可能となる。
【図面の簡単な説明】
【００６０】
【図１】本発明の一実施形態にかかる移動通信システム全体を示す構成図である。
【図２】本発明の一実施形態にかかる着信制御シーケンス図を示す図である。
【図３】本発明の別の実施形態にかかる時刻情報通知シーケンス図を示す図である。
【図４】本発明のさらに別の実施形態にかかる時刻情報通知シーケンス図を示す図である。
【００６１】
１  呼制御装置
２  加入者プロファイル保持装置
３  ＳＭＳ制御装置
１０  ガイダンス送出装置
１１  メッセージ送出装置
１２  発側操作判定装置
２０  加入者プロファイルデータベース
２１  現在時刻情報
２２  通知設定情報
２３  時差情報
２４  着信可能時刻情報
２５  処理情報
２６  制御部
２７  送受信部
１００  国内（ホーム）ネットワーク
２００  国外ネットワーク
３００  発側端末
４００  着側端末
【図１】
2008301198.tif 000003
【図２】
2008301198.tif 000004
【図３】
2008301198.tif 000005
【図４】
2008301198.tif 000006